(57)【特許請求の範囲】
【請求項１】
透視可能なラミネートフィルムの裏面に粘着剤を設ける一方、一面側に剥離剤層と複写剤層とを互いに重ならないように設ける複写片を前記剥離剤層と前記複写剤層との間で、これらを区分けするように他面側に折り返し、前記複写片がラミネートフィルムの対向する二辺の内側に位置するとともに、前記剥離剤設置側の折り返し端とは反対側端がラミネートフィルム他端とほぼ一致して位置し、前記複写剤層設置側の折り返し端とは反対側端がラミネートフィルム他端よりも外側に突出した状態で、前記複写片を前記ラミネートフィルムの裏面側に前記剥離剤層を介して剥離可能に接着し、前記ラミネートフィルムを前記複写片の剥離剤層と対接しないで露出した粘着剤で、前記複写片の前記複写剤層設置側に配置した複写記入部を有するシート・カードの所定の複写記入部表面側に位置させたことを特徴とする改ざん防止複写ラベルを有するシート・カード。
【発明の詳細な説明】
【０００１】
【産業上の利用分野】
本発明は、手書きや印字によって複写記入用紙に複写記入した文字、数字、記号等、例えば領収証に複写記入した領収金額、簡易カードに複写記入した会員番号等をラミネートして、複写記入した文字、数字、記号等の改ざんを防止する改ざん防止複写ラベルを有するシート・カードに関する。
【０００２】
【従来の技術】
従来の複写記入した文字、数字、記号等の改ざん防止は、別途用意したラミネートフィルムを複写記入部分の上に重ね合わせ、熱着、圧着等の適宜手段で接着する構成が知られている。
【０００３】
【発明が解決しようとする課題】
しかしながら従来にあっては、複写記入部分にラミネートフィルムを重ね合わせる際の位置合わせを正確に行うことが困難であり、また、複写記入者がラミネートフィルムの接着作業を一々行うのは煩雑であるという不都合がある。本発明はこのような不都合を解消した改ざん防止複写ラベルを提供することを目的とする。
【０００４】
【課題を解決するための手段】
上述した目的を達成するために本発明の改ざん防止複写ラベルを有するシート・カードは、透視可能なラミネートフィルムの裏面に粘着剤を設ける一方、一面側に剥離剤層と複写剤層とを互いに重ならないように設ける複写片を前記剥離剤層と前記複写剤層との間で、これらを区分けするように他面側に折り返し、前記複写片がラミネートフィルムの対向する二辺の内側に位置するとともに、前記剥離剤設置側の折り返し端とは反対側端がラミネートフィルム他端とほぼ一致して位置し、前記複写剤層設置側の折り返し端とは反対側端がラミネートフィルム他端よりも外側に突出した状態で、前記複写片を前記ラミネートフィルムの裏面側に前記剥離剤層を介して剥離可能に接着し、前記ラミネートフィルムを前記複写片の剥離剤層と対接しないで露出した粘着剤で、前記複写片の前記複写剤層設置側に配置した複写記入部を有するシート・カードの所定の複写記入部表面側に位置させたものである。
【０００５】
複写片の構成としては、剥離剤層と複写剤層とを有する一枚の片を折り返す構成、剥離剤層を有する片と複写剤層を有する片とを別体とし、各層が対向面側に位置しない折り返し状態に重ねて一端側で接着し、この接着端を折り返し端とする構成、同じく別体とし、一方の片の折り返し端に他方の片を接着する構成等を挙げることができる。
【０００６】
【作用】
改ざん防止複写ラベルのラミネートフィルムの裏面の露出した粘着剤により、前記ラミネートフィルムを複写片とともに、領収証等の複写記入部を有するシート・カードの所定の複写記入部表面側に、複写記入部に複写剤層が対応するよう接着し、前記ラミネートフィルムの上方から直接あるいは間接に、筆圧や印圧を加えると、筆記内容や印字内容が前記複写剤層によって前記複写記入部に複写される。次いで、前記複写片の前記ラミネートフィルムからの突出端を引っ張ると、前記複写片の前記ラミネートフィルムの粘着剤との接着面には剥離剤が対応しているので、前記複写片は順次剥離する一方、前記ラミネートフィルムは前記複写記入部を覆うように前記領収証等のシート・カードに接着し、複写記入内容が保護される。
【０００７】
【実施例】
以下、本発明の好適な実施例を添付図面の図１及び図２に基づき詳細に説明する。ここにおいて、図１は本実施例に使用する改ざん防止複写ラベルの平面図、図２はそのＡ−Ａ線断面図である。図３〜図６は改ざん防止複写ラベルを複写記入シート・カードたる領収証と領収証控からなる領収証綴りに適用した実施例を示し、図３は領収証綴りの平面図、図４は図３のＢ−Ｂ線断面図、図５はラミネートフィルムを領収証に接着した状態を示す概略的な平面図、図６は複写記入後に領収証を切り離すとともに複写記入部である領収金額複写記入欄をラミネートフィルムで被覆した状態の平面図である。
【０００８】
図１及び図２に示すように、改ざん防止複写ラベル１の透明あるいは半透明なラミネートフィルム２の裏面には粘着剤３を設けている。一方、複写片４は、裏面に剥離剤層５と複写剤層６とを互いに重ならないように設けて、これら剥離剤層５と複写剤層６との間で、これらを区分けするように表面側に折り返し、前記剥離剤層５によって、前記ラミネートフィルム２の粘着剤３を設けた裏面側に剥離可能に接着している。前記複写剤層６は、カーボンタイプの複写剤層で、筆圧や印圧により対接する複写記入面にブルー色で複写記入するよう構成されている。
【０００９】
複写片４はラミネートフィルム２の対向する二辺の内側に位置するとともに、その折り返し端はラミネートフィルム２一端の内側に位置し、剥離剤５設置側の折り返し端とは反対側端はラミネートフィルム２他端と一致して位置し、複写剤層６設置側の折り返し端とは反対側端はラミネートフィルム２他端よりも外側に突出した状態にある。そして、前記複写剤層６はラミネートフィルム２に対応する部分にのみ設けられ、前記ラミネートフィルム２から突出した部分には存在しない。さらに、前記ラミネートフィルム２の前記複写片４の剥離剤層５と対接しない粘着剤３を、前記複写片４の複写剤層６設置側に配置した剥離紙７で剥離可能に被覆している。
【００１０】
続いて、図３〜図６に基づき、上述した改ざん防止複写ラベル１を複写記入部を有するシート・カードたる領収証と領収証控からなる領収証綴りに使用した実施例について説明する。図４で理解できるように、領収証綴り１１は、領収証１２とその上に重ねた領収証控１３との一端側を接着剤１４で綴じ合わせてなり、前記領収証１２の綴じ合わせ端の内側には切り用ミシン目１５が設けられている。
【００１１】
図３に示すように、領収証控１３の表面には、「領収証（控）」なる標題があらかじめ印刷されているほか、宛先記入欄１６、領収年月日記入欄１７、領収金額記入欄１８、領収内容記入欄１９が設けられるとともに、発行者表示２０があらかじめ印刷されている。また、図５及び図６に示すように、領収証１２の表面には、「領収証」なる標題があらかじめ印刷されているほか、前記領収証控１３の各記入欄１６，１７，１８，１９にそれぞれ対応位置して宛先複写記入欄２１、領収年月日複写記入欄２２、領収金額複写記入欄２３、領収内容複写記入欄２４が設けられるとともに、発行者表示２５があらかじめ印刷されている。そして、これら印刷による表示部分の色はすべて黒色である。
【００１２】
図示してはいないが、領収証控１３の領収金額記入欄１８を除く各記入欄１６，１７，１９に対応する裏面には、染料を内包したマイクロカプセルからなる発色剤層を設ける一方、領収証１２の領収金額複写記入欄２３を除く各複写記入欄２１，２２，２４に対応する表面には顕色剤層を設け、前記マイクロカプセルが筆圧や印圧で破壊されると対応する前記顕色剤層が黒色に発色して、前記各複写記入欄２１，２２，２４に黒色で複写記入するよう構成している。
【００１３】
そして、図４及び図５に示すように、改ざん防止複写ラベル１から剥離紙７を剥離し、露出したラミネートフィルム２の裏面に設けた粘着剤３により、複写片４の複写剤層６が領収証１２の領収金額複写記入欄２３（図６参照）に対応位置する状態で、前記ラミネートフィルム２をその三周縁で前記領収証１２に接着している。このため、前記複写片４は前記領収証１２に対し、フリー状態で、前記複写剤層６において対接する状態となる。
【００１４】
したがって、領収証控１３の各記入欄１６，１７，１８，１９にそれぞれ、宛名２６、領収日２７、領収金額２８、領収内容２９（図５、図６参照）を手書き記入あるいはインパクトプリンタによって印字記入すると、領収金額記入欄１８への領収金額２８の記入によって、ラミネートフィルム２の上方から間接に、筆圧あるいは印圧が加えられることになるので、図６に示すように、この領収金額２８が領収証１２の領収金額複写記入欄２３にブルー色で複写記入されるとともに、他の記入内容２６，２７，２９もそれぞれ対応する複写記入欄２１，２２，２４に黒色で複写記入される。但し、この記入段階では、図５状態にあるので、領収金額２８の領収金額複写記入欄２３への複写記入状態は視認することはできない。
【００１５】
次いで、図５状態の領収証１２を切り用ミシン目１５で領収証控１３から切り離すとともに、この切り離しの前あるいは後において、複写片４のラミネートフィルム２からの突出端を引っ張ると、前記複写片４の前記ラミネートフィルム２の粘着剤３との接着面には剥離剤５を対応しているので、前記複写片４は順次剥離する一方、前記ラミネートフィルム２は領収金額２８が複写記入された領収金額複写記入欄２３を覆うように前記領収証１２表面に接着する。したがって、図６に示すように、前記複写記入された領収金額２８は、前記ラミネートフィルム２によって被覆保護され、改ざんされる虞はない。
【００１６】
本実施例では、複写片４の複写剤層６を、ラミネートフィルム２に対応する部分にのみ設けたので、複写記入された領収金額２８は必ずラミネートフィルム２に対応してこれに被覆されるから、この領収金額２８が改ざんされる虞は完全に解消される。また、前記複写記入された領収金額２８はブルー色であり、他の印刷による表示部分や複写記入部分の黒色と相違するので、前記領収金額２８の複写記入部分が目立つことになる。このように、複写剤層６による複写記入部分の色を他の表示部分や複写記入部分と異ならせた場合は、前記複写剤層６による複写記入部分の一部がラミネートフィルム２で被覆されないよう構成しても、色が他の部分と異なるので、この色を一致させることは困難であり、改ざんされる虞はない。
【００１７】
なお、本発明は上述した実施例に限定されるものではなく、例えば、複写片４に設けたカーボンタイプの複写剤層６に換えて発色剤層を設ける一方、領収証１２の対応する領収金額複写記入部２３表面に顕色剤層を設ける複写構造を採用してもよい。また、複写片４に設ける複写剤層６は、ラミネートフィルム２端から突出している部分にまで設けてもよく、この場合には、前記突出部分の複写剤層６による複写記入部分は前記ラミネートフィルム２で被覆保護されないことになる。さらに、前記複写剤層６による複写記入部分の色が他の表示部分や複写記入部分と同一色であってもよいものである。さらにまた、本発明の改ざん防止複写ラベル１を有するシート・カードが領収証１２に限らないことはもちろんである。
【００１８】
【発明の効果】
以上説明したところで明らかなように、本発明によれば、改ざん防止複写ラベルを複写記入部を有するシート・カードの所定位置にあらかじめ接着しておくことにより、複写記入後に、複写片を引っ張るという簡単な動作で、特別な位置合わせをすることなく複写記入部分をラミネートフィルムで確実に被覆することができ、複写記入内容の改ざん防止が可能になるほか、綴じ合わせシート・カードの最上位のものにも使用可能であるという効果を奏する。
【図面の簡単な説明】
【図１】本発明に使用する改ざん防止複写ラベルの一例を示す平面図。
【図２】図１のＡ−Ａ線断面図。
【図３】本発明の一実施例を示し、改ざん防止複写ラベルを領収証と領収証控とからなる領収証綴りに使用した実施例における領収証綴りの平面図。
【図４】図３のＢ−Ｂ線断面図。
【図５】ラミネートフィルムを領収証に接着した状態を示す概略的な平面図。
【図６】複写記入後に領収証を切り離すとともに領収金額複写記入欄をラミネートフィルムで被覆した状態の平面図。
【符号の説明】
１      改ざん防止複写ラベル
２      ラミネートフィルム
３      粘着剤
４      複写片
５      剥離剤層
６      複写剤層
７      剥離紙
１１      領収証綴り
１２      領収証
１３      領収証控
１４      接着剤
１５      切り用ミシン目
１６      宛先記入欄
１７      領収年月日記入欄
１８      領収金額記入欄
１９      領収内容記入欄
２０，２５      発行者表示
２１      宛先複写記入欄
２２      領収年月日複写記入欄
２３      領収金額複写記入欄
２４      領収内容複写記入欄
２８      領収金額
【図１】
0003556016.tif 000002
【図２】
0003556016.tif 000003
【図３】
0003556016.tif 000004
【図４】
0003556016.tif 000005
【図５】
0003556016.tif 000006
【図６】
0003556016.tif 000007